【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
アクチュエータを有する液滴射出装置を駆動する方法であって、
所定の位置に３つ以上の駆動パルスを含みかつ該所定の位置の間に埋め込まれた位置には駆動パルスを含まない第１のマルチパルス波形を生成し、
前記第１のマルチパルス波形の３つ以上の駆動パルスを前記アクチュエータに印加して、前記液滴射出装置に、第１の液滴サイズの流体を有する第１の液滴を射出させ、
前記所定の位置にある駆動パルスを含まず、かつ前記所定の位置の間に埋め込まれた位置における１つ以上の駆動パルスを含む、第２のマルチパルス波形を生成し、
前記第２のマルチパルス波形の前記１つ以上の駆動パルスを前記アクチュエータに印加し、前記液滴射出装置に、第２の液滴サイズの流体を有する第２の液滴を射出させる、
ステップと、を含み、
前記第１及び第２の液滴は、異なる液滴サイズを有し、これらの液滴は、前記所定の位置における３つ以上の駆動パルスのピーク電圧に関して前記１つ以上の駆動パルスの大きさが決定されることに基づいて、実質的に同じ有効液滴速度で射出されることを特徴とする方法。
【請求項２】
発射される１つ又はそれ以上の駆動パルスを有する第３の波形を印加し、前記液滴射出装置に、前記第３の波形を前記アクチュエータに印加することに応答して、第３の液滴サイズを有する前記流体の第３の液滴を射出させるステップをさらに含むことを特徴とする請求項１に記載の方法。
【請求項３】
前記第２のマルチパルス波形は、前記液滴射出装置に、前記流体の前記第２の液滴を射出させるために、ただ１つの埋め込み駆動パルスを含むことを特徴とする請求項１に記載の方法。
【請求項４】
アクチュエータを有する液滴射出装置を駆動する方法であって、
所定の位置に駆動パルスを含む第１のマルチパルス波形を生成し、
前記第１のマルチパルス波形の駆動パルスを前記アクチュエータに印加して前記液滴射出装置に、前記流体の前記第１の大きさの第１の液滴を射出させ、
前記所定の位置には駆動パルスを含まず、かつ該所定の位置の間に埋め込まれた位置に１つ以上の駆動パルスを含む第２のマルチパルス波形を生成し、
前記第２のマルチパルス波形の前記１つ以上の駆動パルスを前記アクチュエータに印加し、前記液滴射出装置に、前記流体の前記第２の大きさの第２の液滴を射出させるステップと、を備え、
前記第１及び第２の液滴は異なる液滴の大きさを持ち、前記第２のマルチパルス波形は、前記液滴射出装置に、前記流体の前記第２の液滴を射出させるために、２つの埋め込みパルスを有し、前記所定の位置には駆動パルスがないことを特徴とする方法。
【請求項５】
アクチュエータを有する液滴射出装置を駆動する方法であって、
所定の位置に駆動パルスを含む第１のマルチパルス波形を生成し、
前記第１のマルチパルス波形の駆動パルスを前記アクチュエータに印加して前記液滴射出装置に、前記流体の前記第１の大きさの第１の液滴を射出させ、
前記所定の位置には駆動パルスを含まず、かつ該所定の位置の間に埋め込まれた位置に１つ以上の駆動パルスを含む第２のマルチパルス波形を生成し、
前記第２のマルチパルス波形の前記１つ以上の駆動パルスを前記アクチュエータに印加し、前記液滴射出装置に、前記流体の前記第２の大きさの第２の液滴を射出させるステップと、を備え、
前記第１及び第２の液滴は異なる液滴の大きさを持ち、前記第１のマルチパルス波形は、前記液滴射出装置に、前記流体の前記第１の液滴を射出させるために、所定の位置に３つの駆動パルスを有することを特徴とする方法。
【請求項６】
前記第１の液滴サイズは、前記第３の液滴サイズより大きい前記第２の液滴サイズより大きいことを特徴とする請求項５に記載の方法。
【請求項７】
前記第１のマルチパルス波形の開始から終了までの期間は、前記第２のマルチパルス波形の開始から終了までの期間と同じであることを特徴とする請求項５に記載の方法。
【請求項８】
前記第１及び第２の液滴の各々についての前記有効液滴速度は、約８ｍ／ｓであり、６ｍ／ｓから１１ｍ／ｓまでの範囲を有することを特徴とする請求項１に記載の方法。
【請求項９】
前記液滴射出装置は、ポンプ・チャンバを含み、前記アクチュエータは、前記駆動パルスに応答して、前記ポンプ・チャンバ内の前記流体の圧力を変化させるように作動することを特徴とする請求項１に記載の方法。
【請求項１０】
アクチュエータに印加された複数の波形に応答して、ポンプ・チャンバから流体の液滴を射出するためのアクチュエータであって、前記液滴は異なるサイズのものである、アクチュエータと、
前記複数の波形により前記アクチュエータを駆動させるための、該アクチュエータに結合された駆動電子器具と、
を含み、前記駆動電子器具は、
前記アクチュエータに前記流体の第１の液滴を射出させるために、所定の位置にあり、かつ該所定の位置の間に埋め込まれた位置には含まれない３つ以上の駆動パルスを含む第１のマルチパルス波形と、
前記アクチュエータに前記流体の第２の液滴を射出させるために、前記所定の位置にはなく、前記所定の位置の間に埋め込まれた１つ以上の駆動パルスを含む第２のマルチパルス波形により前記アクチュエータを駆動し、
前記第１及び第２の液滴の各々は異なる液滴サイズを有し、これらの液滴は、前記所定の位置における３つ以上の駆動パルスのピーク電圧に関して前記１つ以上の駆動パルスの大きさが決定されることに基づいて、実質的に同じ有効液滴速度で射出されることを特徴とする装置。
【請求項１１】
第３の波形は、前記液滴射出装置に、前記第３の波形を前記アクチュエータに印加することに応答して、第３の液滴サイズを有する前記流体の第３の液滴を射出させるために発射される１つ又はそれ以上の駆動パルスを有することを特徴とする請求項１０に記載の装置。
【請求項１２】
前記第２のマルチパルス波形は、前記液滴射出装置に、前記流体の前記第２の液滴を射出させるために、ただ１つの埋め込み駆動パルスを含むことを特徴とする請求項１０に記載の装置。
【請求項１３】
アクチュエータに印加された複数の波形に応答して、ポンプ・チャンバから流体の液滴を射出するためのアクチュエータであって、前記液滴は異なるサイズのものである、アクチュエータと、
前記複数の波形により前記アクチュエータを駆動させるための、該アクチュエータに結合された駆動電子器具と、
を含み、前記駆動電子器具は、
前記アクチュエータに前記流体の第１の液滴を射出させるために、所定の位置にある駆動パルスを含む第１のマルチパルス波形と、
前記アクチュエータに前記流体の第２の液滴を射出させるために、前記所定の位置にはなく、前記所定の位置の間に埋め込まれた１つ以上の駆動パルスを含む第２のマルチパルス波形により前記アクチュエータを駆動し、
前記第１及び第２の液滴の各々は異なる液滴サイズを有し、
前記第２のマルチパルス波形は、前記液滴射出装置に、前記流体の前記第２の液滴を射出させるために、２つの埋め込み駆動パルスを有し、前記所定の位置には駆動パルスがないことを特徴とする装置。
【請求項１４】
アクチュエータに印加された複数の波形に応答して、ポンプ・チャンバから流体の液滴を射出するためのアクチュエータであって、前記液滴は異なるサイズのものである、アクチュエータと、
前記複数の波形により前記アクチュエータを駆動させるための、該アクチュエータに結合された駆動電子器具と、
を含み、前記駆動電子器具は、
前記アクチュエータに前記流体の第１の液滴を射出させるために、所定の位置にある駆動パルスを含む第１のマルチパルス波形と、
前記アクチュエータに前記流体の第２の液滴を射出させるために、前記所定の位置にはなく、前記所定の位置の間に埋め込まれた１つ以上の駆動パルスを含む第２のマルチパルス波形により前記アクチュエータを駆動し、
前記第１及び第２の液滴の各々は異なる液滴サイズを有し、
前記第１のマルチパルス波形は、前記液滴射出装置に、前記流体の前記第１の液滴を射出させるために、所定の位置に３つの駆動パルスを有することを特徴とする装置。
【請求項１５】
前記第１の液滴サイズは、前記第３の液滴サイズより大きい前記第２の液滴サイズより大きいことを特徴とする請求項１４に記載の装置。
【請求項１６】
印刷ヘッドであって、
アクチュエータに印加された複数の波形に応答してポンプ・チャンバから流体の液滴を射出するためのアクチュエータであって、前記液滴は異なるサイズのものである、アクチュエータと、
前記複数の波形により前記アクチュエータを駆動させるための、該アクチュエータに結合された駆動電子器具と、
を含むインクジェット・モジュールを備え、前記駆動電子器具は、
前記アクチュエータに前記流体の第１の液滴を射出させるために、所定の位置に３つ以上の駆動パルスを含みかつ前記所定の位置の間に埋め込まれた位置は駆動パルスを含まない第１のマルチパルス波形と、
前記アクチュエータに前記流体の第２の液滴を射出させるために、所定の位置には駆動パルスを含まず、該所定の位置の間に埋め込まれた位置に１つ以上の駆動パルスを含む第２のマルチパルス波形と、
により前記アクチュエータを駆動させ、
前記第１及び第２の液滴の各々は異なる液滴サイズを有し、これらの液滴は、前記所定の位置における３つ以上の駆動パルスのピーク電圧に関して前記１つ以上の駆動パルスの大きさが決定されることに基づいて、実質的に同じ有効液滴速度で射出されることを特徴とする印刷ヘッド。
【請求項１７】
第３の波形は、前記液滴射出装置に、前記第３の波形を前記アクチュエータに印加することに応答して、第３の液滴サイズを有する前記流体の第３の液滴を射出させるように発射される１つ又はそれ以上の駆動パルスを有することを特徴とする請求項１６に記載の印刷ヘッド。
【請求項１８】
前記第２のマルチパルス波形は、前記液滴射出装置に、前記流体の前記第２の液滴を射出させるために、１つの埋め込み駆動パルスを含むことを特徴とする請求項１６に記載の印刷ヘッド。
【請求項１９】
印刷ヘッドであって、
アクチュエータに印加された複数の波形に応答してポンプ・チャンバから流体の液滴を射出するためのアクチュエータであって、前記液滴は異なるサイズのものである、アクチュエータと、
前記複数の波形により前記アクチュエータを駆動させるための、該アクチュエータに結合された駆動電子器具と、
を含むインクジェット・モジュールを備え、前記駆動電子器具は、
前記アクチュエータに前記流体の第１の液滴を射出させるために、所定の位置に３つ以上の駆動パルスを含みかつ前記所定の位置の間に埋め込まれた位置は駆動パルスを含まない第１のマルチパルス波形と、
前記アクチュエータに前記流体の第２の液滴を射出させるために、所定の位置には駆動パルスを含まず、該所定の位置の間に埋め込まれた位置に１つ以上の駆動パルスを含む第２のマルチパルス波形と、
により前記アクチュエータを駆動させ、
前記第１及び第２の液滴の各々は異なる液滴サイズを有し、
前記第２のマルチパルス波形は、前記液滴射出装置に、前記流体の前記第２の液滴を射出させるために、２つの埋め込み駆動パルスを有し、前記所定の位置には駆動パルスがないことを特徴とする印刷ヘッド。
【請求項２０】
前記第１のマルチパルス波形は、前記液滴射出装置に、前記流体の前記第１の液滴を射出させるために、所定の位置に３つの駆動パルスを有することを特徴とする請求項１６に記載の印刷ヘッド。
【請求項２１】
前記インクジェット・モジュールは、炭素体、補強板、キャビティ板、第１の可撓性プリント基板、ノズル板、インク充填経路、及び第２の可撓性プリント基板をさらに含むことを特徴とする請求項１６に記載の印刷ヘッド。
【請求項２２】
アクチュエータを有する液滴射出装置を駆動する方法であって、
所定の位置にある駆動パルスと、前記駆動パルスの２つの所定の位置の間に埋め込まれた位置における、第１のマルチパルス波形内にある１つ又はそれ以上の付加的な埋め込みパルスとを含む第１のマルチパルス波形を生成し、
前記駆動パルスと、前記第１のマルチパルス波形の前記１つ又はそれ以上の付加的な埋め込みパルスとを前記アクチュエータに印加し、前記液滴射出装置に、前記流体の第１の液滴サイズを有する第１の液滴を射出させるステップであって、前記所定の位置における３つ以上の駆動パルスのピーク電圧に関して前記１つ以上の駆動パルスの大きさが決定されるようになっているステップを含むことを特徴とする方法。
【請求項２３】
所定の位置にある駆動パルスのゼロ又はそれ以上の駆動パルスと、前記所定の位置の間に埋め込まれた位置における、前記第２のマルチパルス波形内にあるゼロ又はそれ以上の付加的なパルスとを含む、第２のマルチパルス波形を生成し、
前記第２のマルチパルス波形の駆動パルスを前記アクチュエータに印加し、前記液滴射出装置に、該第２のマルチパルス波形の前記パルスに応答して、第２の液滴サイズの流体を有する第２の液滴を射出させる、
ステップをさらに含むことを特徴とする請求項２２に記載の方法。
【請求項２４】
発射される１つ又はそれ以上の駆動パルスを有する第３の波形を印加し、前記液滴射出装置に、前記第３の波形を前記アクチュエータに印加することに応答して、第３の液滴サイズを有する前記流体の第３の液滴を射出させるステップをさらに含むことを特徴とする、請求項２３に記載の方法。
【請求項２５】
前記第１、第２及び第３の液滴は、異なる液滴サイズを有し、実質的に同じ有効液滴速度で射出されることを特徴とする請求項２４に記載の方法。